(57)【要約】【課題】  視聴率等の番組を評価するためのデータを利用して、録画済番組を処理する。【解決手段】  録画済番組を処理する処理方法は、記録媒体に記録された番組コンテンツを評価する番組評価値を、番組コンテンツの評価を示す番組関連データに基づき作成する番組評価値作成ステップと、前記番組評価値を使用して設定された処理対象の番組コンテンツを処理する番組処理ステップとを含む。【選択図】  図４
2006246005.tif 000002
【特許請求の範囲】
【請求項１】
記録媒体に記録された番組コンテンツを評価する番組評価値を、番組コンテンツの評価を示す番組関連データに基づき作成する番組評価値作成ステップと、
前記番組評価値に基づき設定された処理対象の番組コンテンツを処理する番組処理ステップと
を含む、録画済番組を処理する処理方法。
【請求項２】
請求項１に記載の番組評価値作成ステップは、
記録媒体に記録された番組コンテンツを選択するステップと、
選択した前記番組コンテンツに関する番組関連データを取得するステップと、
取得した前記番組関連データを使用して、前記番組コンテンツの番組評価値を計算する評価値計算ステップと
を含む、録画済番組を処理する処理方法。
【請求項３】
請求項１に記載の番組処理ステップは、
前記記録媒体の残容量を計算する残容量計算ステップと、
前記残容量計算ステップで計算された記録媒体の残容量が一定値以下であるとき、番組評価値に基づき特定の番組順位を処理対象として設定する番組順位設定ステップと、
特定の番組順位である番組コンテンツを処理する特定順位番組処理ステップと
を含む、録画済番組を処理する処理方法。
【請求項４】
請求項３に記載の特定順位番組処理ステップは、前記番組順位設定ステップにおいて最低の番組順位である番組コンテンツを削除することを特徴とする、録画済番組を処理する処理方法。
【請求項５】
請求項３に記載の特定順位番組処理ステップは、前記番組順位設定ステップにおいて最高の順位、もしくは特定値以上の順位である番組コンテンツを、外部記録媒体へ移動することを特徴とする、録画済番組を処理する処理方法。
【請求項６】
請求項３に記載の特定順位番組処理ステップは、前記番組順位設定ステップにおいて最低の番組順位である番組コンテンツを削除する削除処理、および前記番組順位設定ステップにおいて最高の順位もしくは特定値以上の順位である番組コンテンツを外部記録媒体へ移動する移動処理の双方を組み合わせた処理を施すことを特徴とする、録画済番組を処理する処理方法。
【請求項７】
請求項１または２に記載の番組関連データは、インターネットを介して取得した視聴率データまたは番組評価データまたはそれらの組み合わせであることを特徴とする、録画済番組を処理する処理方法。
【請求項８】
請求項１または２に記載の番組関連データは、インターネットを介して取得した視聴率データまたは番組評価データと、予め記録された視聴者自身の嗜好データの組み合わせであることを特徴とする、録画済番組を処理する処理方法。
【請求項９】
請求項１に記載の処理方法は、前記番組処理ステップの後に新規番組コンテンツを録画するステップを含む、録画済番組を処理する処理方法。
【請求項１０】
録画済番組を処理する処理装置において、請求項１乃至９に記載の録画済番組の処理方法におけるステップを実行させる演算処理装置を備えた処理装置。
【請求項１１】
コンピュータに、請求項１乃至９に記載の録画済番組の処理方法におけるステップを実行させる、録画済番組を処理する処理プログラム。
【発明の詳細な説明】
【技術分野】
【０００１】
本発明は、録画済番組を処理する処理方法、処理装置および処理プログラムに関する。
【背景技術】
【０００２】
現在、ハードディスクドライブを内蔵した録画機器、あるいはハードディスクドライブとＤＶＤドライブ双方を内蔵した録画機器（以下、ＤＶＤ／ＨＤＤレコーダー）でアナログ、ディジタル放送で放映されるテレビ番組を録画し、蓄積した録画済番組を家庭で視聴することが一般的に行われている。
【０００３】
このようなＤＶＤ／ＨＤＤレコーダーでは、ＥＰＧ（Ｅｌｅｃｔｒｏｎｉｃ  Ｐｒｏｇｒａｍ  Ｇｕｉｄｅ：電子番組ガイド）とキーワードを連携した仕組を使って、視聴者が具体的な番組名を意識せずにキーワードに該当する多くの番組を自動録画する機能を持つ機器がある。マルチチューナーモデルの登場によって、この傾向はさらに強まっている。
【０００４】
記録容量が有限であるＨＤＤレコーダーには未視聴の番組が大量に記録される。ＨＤＤレコーダーの記録容量を確保するために、視聴者本人がすべての番組を視聴し消去すべき番組を判定することが非常に困難となっている。
【０００５】
これを解決するために、ＨＤＤ容量が限界になると、所定の設定条件に従って、録画済番組をＨＤＤから消去する機器がある。
【０００６】
例えば、録画済番組を消去する既知の技術として、以下のようなものがある。
【０００７】
特許文献１は、あらかじめ予約者の嗜好に基づいて得られた番組嗜好情報に従って記録された番組を消去するときに、嗜好レベルの低い番組を自動的に消去することを開示する。
【特許文献１】特開２００２−３５４３９１号公報
【発明の開示】
【発明が解決しようとする課題】
【０００８】
しかし、上述の仕組みは、予約者の番組嗜好情報に基づいて自動的に消去するため、他者による番組を評価する客観的又は主観的な指標を考慮することができなかった。
【０００９】
また、予約者の番組嗜好情報のみを利用するため、番組の視聴率といった後日把握できる客観的なデータを利用することができなかった。
【００１０】
本発明はこのような問題を解決するためになされたもので、視聴率等の番組を評価するためのデータを利用して、録画済番組を処理することを目的とする。
【課題を解決するための手段】
【００１１】
本発明は上記目的を達成するため、録画済番組を処理する処理方法において、記録媒体に記録された番組コンテンツを評価する番組評価値を、番組コンテンツの評価を示す番組関連データに基づき作成する番組評価値作成ステップと、番組評価値を使用して設定された処理対象の番組コンテンツを処理する番組処理ステップとを含むことを特徴とする。
【００１２】
また、本発明は、録画済番組を処理する処理装置において、前記処理方法におけるステップを実行させる演算処理装置を備えることを特徴とする。
【００１３】
また、本発明は、録画済番組を処理する処理プログラムにおいて、コンピュータに、前記処理方法におけるステップを実行させることを特徴とする。
【発明の効果】
【００１４】
視聴率等の番組を評価するためのデータを利用して、録画済番組を処理することができる。
【発明を実施するための最良の形態】
【００１５】
以下、図面を参照して本発明の実施形態に係る録画済番組を処理する処理方法、処理装置および処理プログラムについて説明する。実施形態の構成は例示であり、本発明は実施形態の構成に限定されない。尚、本発明は、ハードウェア及びソフトウェアにより実施可能である。プログラムからなるソフトウェアにより実行させる場合には、そのソフトウェアを構成するプログラムをコンピュータ等のハードウェアにインストールすることで、各種の機能を実現できる。また、プログラムは、通信回線を通じてまたはコンピュータ読み取り可能な記録媒体を使用してコンピュータ等へインストールされる。
【００１６】
ここで、コンピュータ読み取り可能な記録媒体とは、データやプログラム 等の情報を
電気的、磁気的、光学的、機械的、または化学的作用によって蓄積し、コンピュータから読み取ることができる記録媒体をいう。このような記録媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、磁気テープ、メモリカード等がある。また、コンピュータに固定された記録媒体としてハードディスクやＲＯＭ（リードオンリーメモリ）等がある。
【００１７】
図１は、本発明の実施例に関わる全体構成を示す図である。１０１は、ＤＶＤ、ＨＤＤなどの記録媒体に画像情報や音声情報など記録する録画装置である。１０２は、デジタル放送やアナログ放送を放映する放送局である。１０４は、視聴率調査会社などが公表した視聴率データ等を記録する外部情報装置である。録画装置１０１は外部情報装置１０４とインターネットなどのネットワーク１０３を介して通信可能に接続されている。
【００１８】
録画装置１０１は、放送局１０２が放送する番組を受信及び録画する。さらに、録画装置１０１は、録画済番組を評価に活用するために、インターネットを代表とするネットワーク１０３を経由して視聴率データを外部から入手及び記録する。
【００１９】
視聴率データ（本発明の「番組関連データ」に相当）は、視聴率調査会社が発表する一般的な視聴率であってもよいし、その視聴率の追加データあるいは代替データとして、番組の視聴率以外の評価データであってもよい。ここで、番組関連データは、テレビ番組などの評価を数値又は文字等で示すデータである。
【００２０】
図２は、図１に示す録画装置１０１における内部構成のうち、ディジタル放送受信機能の代表的な機能および本発明に関連した機能を説明するための機能ブロック図である。
【００２１】
システムバス２０１は、図２に示す各部からデータを受け渡しするために使用される。チューナー部２０２から映像Ｉ／Ｆ２０８、音声Ｉ／Ｆ部２０９に至る白抜きの矢印部分においては、放送中の非蓄積データが直接送られる場合もある。
【００２２】
２０２はチューナー部であり、地上波を受信するアンテナ（図示せず）又はケーブルから受信した放送波のうち適切な信号を選局し、復調・復号部２０３に送る。
【００２３】
復調・復号部２０３は、チューナー部２０２から渡された放送波を復調し、ディジタル信号への復号及び誤り訂正等を行い、ＴＳ（Ｔｒａｎｓｐｏｒｔ  Ｓｔｒｅａｍ）を得る。ＴＳを得るために、衛星ディジタル放送であれば８ＰＳＫ（８−Ｐｈａｓｅ  Ｓｈｉｆｔ  Ｋｅｙｉｎｇ）方式等が使用され、地上ディジタル放送であれば６４ＱＡＭ（Ｑｕａｄｒａｔｕｒｅ  Ａｍｐｌｉｔｕｄｅ  Ｍｏｄｕｌａｔｉｏｎ）、１６ＱＡＭ方式等が使用される。
【００２４】
ＴＳ分離部２０４は、ＴＳで多重化されている映像、音声、データ等を番組ごとに分離する。映像データは映像デコード部２０５、音声データは音声デコード部２０６に送られ、その他のデータなどはＲＡＭ部２１２やＨＤＤ部２１１等に送られる。中央演算処理装置であるＣＰＵ部２１４（本発明の「演算処理装置」に相当）はこれらの受信データを処理する。
【００２５】
映像デコード部２０５は、ＴＳ分離部２０４で分離された映像データをデコードし、映像処理部２０７に送る。映像処理部２０７は、必要に応じＴＳ分離部２０４で分離された、データや制御データに基づいてデータの重畳表示等の処理を行い、映像データは最終的に映像Ｉ／Ｆ部２０８を通じてテレビ受像機のテレビ画面等に表示される。
【００２６】
音声デコード部２０６は、ＴＳ分離部２０４で分離された音声データをデコードし、音声Ｉ／Ｆ部２０９を通じてスピーカー等へ音声を出力する。
【００２７】
ＲＯＭ部２１３は、録画や再生に関する全般の処理を実行するプログラムを記録している。ＣＰＵ部２１４は、ＲＯＭ部２１３に記録されたプログラムを適宜読み出し解釈することにより実行する。
【００２８】
なお、状況に応じて、ＲＡＭ部２１２は、ＲＯＭ部２１３に記録されたプログラムと同じプログラムの一部または全部が記録される。ＣＰＵ部２１４は、ＲＡＭ部２１２に記録されたプログラムも適宜読み出し解釈することにより実行する。また、ＲＡＭ部２１２に記録されたプログラムは、必要に応じて修正されて使用される。
【００２９】
更に、ＲＡＭ部２１２は取り外し可能な記録媒体であってもよい。また、ＨＤＤ部２１１がプログラムを記録してもよい。ＣＰＵ部２１４は、ＨＤＤ部２１１に記録されたプログラムをＲＡＭ部２１２にコピーし、適宜実行してもよい。
【００３０】
前記プログラムは、ＴＳ分離部２０４、音声デコード部２０６、映像デコード部２０５から出力された信号を必要に応じて録画装置１０１に対応する録画フォーマットへ変換する処理を可能にする。
【００３１】
更に、前記プログラムは、ＨＤＤ部２１１へ番組コンテンツ２１１ａを記録させ、録画済番組テーブル２１１ｂを記録させる処理を可能にする。また、前記プログラムは、録画装置１０１に対応する録画フォーマットをＤＶＤドライブ部２１０に格納されたＤＶＤ−ＲＡＭ等の記録媒体へ番組コンテンツを記録し、コピーし、または移動する処理や、予約録画等の様々な処理を可能にする。前記プログラムは、本発明に関する処理である番組評価データの処理、番組評価値の計算、番組評価値に応じた録画済番組テーブル２１１ｂ、番組コンテンツ２１１ａの追加、削除等の処理を可能にする。
【００３２】
ネットワークＩ／Ｆ部２１６は、有線あるいは無線のＬＡＮ等（図示せず）、アクセス
ポイント（図示せず）や家庭内ルーター（図示せず）を通じてインターネット等のネットワーク１０３に接続され、外部情報装置１０４から視聴率等の番組評価データを受信する。リモコンＩ／Ｆ部２１５は、赤外線等を使用してリモコンから制御信号を受信する。
【００３３】
以上、ディジタル放送受信機を内蔵する録画機である図２を例として説明した。これに限らず、本発明は、該放送受信機の機能がアナログ放送波を対象にしたものであってよい。受信したアナログ放送波を適宜復調し、デコードし、映像信号及び音声信号をＨＤＤ等の記録媒体に記録することのできる録画装置であれば、本発明は適用可能である。
【００３４】
また、放送波を受信する機能が録画装置１０１と物理的に別の機器として存在していても、その機器から映像信号及び音声信号を入力することができ、適切なフォーマットで録画装置１０１のＨＤＤ等の記録媒体に記録することができれば、本発明は適用可能である。
【００３５】
図３および図４は、本発明の「番組評価値の作成方法」及び「番組評価値による番組削除処理」に関するフローチャートである。
【００３６】
図３を参照して、「番組評価値の作成方法」を説明する。
【００３７】
前提として、ＨＤＤ部２１１は、予約録画等で録画された番組コンテンツ２１１ａ（本発明の「番組コンテンツ」に相当）がＭＰＥＧ２など所定のフォーマットで記録している。また、ＨＤＤ部２１１は、記録された番組コンテンツ２１１ａを個々の番組としてテレビ受像機の画面上に表示するために、図５で論理的に表記しているような録画済番組テーブル２１１ｂとして同時に記録及び管理する。
【００３８】
録画装置１０１で録画されたある録画済番組の再生処理が行われると、図５に示す未視聴フラグは、初期値の「１」から「０」に変更され、視聴済みであることを示す。番組評価値の作成前は、視聴率、Ｗｅｂサイト評価データ、番組評価値は、初期値ではＮｕｌｌ（データなし）となっている。
【００３９】
まず、視聴率に関するＷｅｂサイトでのデータが更新される時期等、所定のタイミングで、図２に示された録画済番組テーブル２１１ｂのうち一つのレコード（録画済番組）を選択する（Ｓ３０１）。録画済番組の選択は、ユーザがリモコンを操作してリモコンＩ／Ｆ部２１５へ送信された制御信号により実行される。
【００４０】
次に、番組評価値（視聴率、Ｗｅｂサイト評価データ、番組評価値）が選択したレコードにあるかどうか、すなわち番組評価値が計算済みかどうかを確認する（Ｓ３０２）。番組評価値が作成されていないとき、選択された番組の視聴率データを事前に登録してあるＵＲＬなどを利用して、外部情報装置１０４であるＷｅｂサイト等から受信する（Ｓ３０３）。
【００４１】
記録装置１０１は、ネットワークを介してネットワークＩ／Ｆ部２１６で番組評価値を受信すると、図６に示すように番組評価値を録画済番組テーブル２１１ｂとして記録する。
【００４２】
図７は、番組評価値を取得するためにアクセスするＷｅｂサイトのデータ形式の一例を示す。図７に示す形式で視聴率データが外部情報装置１０４に格納されている場合は、図８で示すようなＨＴＭＬデータを受信することができる。図８は、図７の表の部分のみを抜粋し、レイアウトに関する要素や属性は省略したＨＴＭＬタグを示す。
【００４３】
記録装置１０１は、＜ＴＤ＞タグで囲まれた番組チャンネル名、番組名、放送日、開始時刻、放映時間、視聴率の各々について、データの桁数等の形式を修正した上で、録画済番組テ−ブル２１１ｂに記録する。
【００４４】
図７に示す例では、複数の番組に関するデータを一度に取得できるので、この時点で番組評価値作成の対象となっていない番組のデータを一時的にＲＡＭ部２１２等に記録してもよい。そして、その番組が処理対象となった場合に、ＲＡＭ部２１２等からデータを読み出し録画済番組テーブル２１１ｂに記録してもよい。
【００４５】
本実施例ではＷｅｂサイトにＨＴＭＬ形式でデータが記録されており、それをインターネット経由でＨＴＴＰプロトコルを使用して受信する例を示した。しかし、視聴率等の客観的なデータが何らかの形で入手できればその入手経路がＨＴＴＰプロトコル以外を使用したネットワーク経由であっても、インターネット以外のネットワーク経由でもよい。更に、メモリカード等の記録媒体を介したもの、その他の手段であってもよい。
【００４６】
また、番組評価値を作成するデータ形式は、ＨＴＭＬ形式に限らず、ＸＭＬやその他のデータ形式でもよく、データの種類は限定されない。
【００４７】
また、記録装置１０１は、視聴率データ以外のデータをそのＷｅｂサイトが持つ場合は、該データを同様に受信し、録画済番組テーブル２１１ｂのＷｅｂサイト評価データなどの項目に記録することも可能である。
【００４８】
評価データが複数の基準で複数存在する場合、または、それら複数の評価データが異なるＷｅｂサイトに存在している場合、記録装置１０１はそれぞれの評価データをそれぞれのＷｅｂサイトから受信してもよい。このとき、記録装置１０１は受信した評価データに関する項目を録画済番組テーブル２１１ｂへ適切に追加及び記録し、番組評価値としての既存のデータに加えてもよい。
【００４９】
さらに、外部から受信したデータだけでなく、視聴者が指定した重要度のデータ（嗜好データ）を番組評価値として録画済番組テーブル２１１ｂへ加えることも可能である。例えば、その視聴者がキーワードを使用して番組を録画するときにそのキーワードが特に重要であると予め指定されている場合、もしくは録画後にその番組が重要であるという指定がされた場合、視聴者が指定したそのような嗜好データを使用して番組評価値を計算してもよい。
【００５０】
記録装置１０１は、ネットワーク１０３等を介して取得した視聴率データ等を使用して番組の番組評価値を計算する（Ｓ３０４）。番組評価値の計算が終了すると、その番組評価値は録画済番組テーブル２１１ｂの該当するレコードに記録される。
【００５１】
番組評価値の計算方法は、「未視聴かどうか」、「視聴率が高いか（または存在するか）」、「（番組評価データがある場合）番組評価が高いかどうか」のどれに重点をおくかによって様々なものが考えられる。
【００５２】
本実施例では、「番組評価値＝視聴率（％）＋Ｗｅｂサイト番組評価値（Ａ＝１０、Ｂ＝０，Ｃ＝−１０）＋未視聴フラグ×１００」という計算式を使用し、番組評価値を計算する。もちろん、ユーザーが番組評価値の計算方法を自由に設定したり、特定の評価データのみを取捨選択あるいは重み付けして計算したりする計算方法などでもよい。
【００５３】
上述のように、視聴者が指定した重要度のデータを番組評価値に加える場合は、次のような計算式として、視聴者が指定した重要度を反映させることも可能である。
【００５４】
「番組評価値＝視聴率（％）＋Ｗｅｂサイト番組評価値（Ａ＝１０、Ｂ＝０，Ｃ＝−１０）＋未視聴フラグ×１００＋重要度（重要＝１００、普通＝５０、重要でない＝０）」
上記の処理を、全番組に関して行い（Ｓ３０５）、図３に示す番組評価値の作成処理は終了する。尚、番組評価値の作成のタイミングとしては、上述のように、ユーザが指定する方法の他に、番組の録画中に又は番組を録画した後に所定時間経過したとき、自動的に番組の視聴率データ等を取得する方法も考えられる。
【００５５】
図６は、上記番組評価値の作成処理が終了し、番組評価値の計算が可能なレコードに関して番組評価値が記録された録画済番組テーブル２１１ｂの一例を示す。
【００５６】
次に、図４のフローチャートを参照して、番組評価値を使用した録画済番組の削除処理を説明する。
【００５７】
この削除処理は、録画の予約処理が行われた場合、あるいはリアルタイムで視聴者がテレビを視聴中に録画処理を開始させた場合等、ＨＤＤの残容量又は録画予定が変更されたタイミングで開始される処理である。ただし、削除処理の開始のタイミングは変更の直後である必要はなく、残容量または録画予定が変更になった日の深夜などに行ってもよい。
【００５８】
まず、Ｓ４０１〜Ｓ４０２において、番組録画に使用できるＨＤＤ容量全体から、直近の録画予約番組で使用を予定するＨＤＤ容量（Ｘとする）と録画済番組の使用総ＨＤＤ容量（Ｙとする）とを差し引いた容量が、一定値以下かどうかを判定する。
【００５９】
一定値以下である場合、すなわちＨＤＤの残容量が少ない場合は、評価の低い番組を削除する処理を開始する。具体的には、録画済番組テーブル２１１ｂに記録されている録画済番組テーブルの番組評価値を読み込み（Ｓ４０３）、番組評価値に基づき番組順位を設定（Ｓ４０４）する。番組順位の設定は、例えば、番組評価値に基づきリストを昇順又は降順に並べ替えた後に、特定の番組順位を処理対象として設定する。このとき、録画された後一定期間視聴されていない番組を番組評価値が最低である番組と設定してもよい。
【００６０】
そして、番組評価値が最低である番組（最低順位の番組）を特定し、ＨＤＤ等の記録媒体上からデータ（番組コンテンツ）を削除する（Ｓ４０５）。削除処理は、テレビ画面上にダイアログを表示する等の方法で視聴者への確認処理後に実行してもよい。
【００６１】
また、評価の低い番組を削除する代わりに、番組評価値の最も高い番組コンテンツを、図２におけるＤＶＤドライブ部２１０等を通じてＤＶＤ−ＲＡＭ等の外部メディアに移動する処理を施してもよい。加えて、番組評価値の最も高い番組コンテンツを移動する処理と共に前記番組コンテンツを記録媒体から削除する処理を実行してもよい。また、外部メディアに移動する対象の特定方法は、番組評価値の高い順に番組コンテンツを特定するリストを画面上に表示して、ユーザに選択させるようにしてもよい。
【００６２】
上述の削除処理が終わると、録画済番組で使用されたＨＤＤ容量（Ｙ）の再計算を行い（Ｓ４０６）、Ｓ４０２の処理に戻る。この削除処理はＨＤＤ残容量が一定値より大きくなるまで繰り返される。
【００６３】
ＨＤＤ残容量が一定値以上になった場合、評価値による番組処理は終了する。この評価値による番組処理が終了したのち、録画装置１０１は新たな番組の録画を開始する。
【図面の簡単な説明】
【００６４】
【図１】本実施形態における全体構成を示す図である。
【図２】本実施形態における本発明の処理を含む録画装置の構成図を示す。
【図３】本実施形態における番組評価値の作成処理のフローチャートを示す。
【図４】本実施形態における番組評価値による番組処理のフローチャートを示す。
【図５】本実施形態における録画済番組テーブル（評価前）を示す図である。
【図６】本実施形態における録画済番組テーブル（評価後）を示す図である。
【図７】本実施形態におけるＷｅｂサイトの画面の表示例を示す。
【図８】本実施形態におけるＷｅｂサイトの画面の表示例におけるＨＴＭＬデータの一部を示す。
【符号の説明】
【００６５】
１０１  録画装置
１０２  放送局
１０３  ネットワーク
１０４  外部情報装置
２０１  システムバス
２０２  チューナー部
２０３  復調・復号部
２０４  ＴＳ分離部
２０５  映像デコード部
２０６  音声デコード部
２０７  映像処理部
２０８  映像Ｉ／Ｆ部
２０９  音声Ｉ／Ｆ部
２１０  ＤＶＤドライブ部
２１１  ＨＤＤ部
２１１ａ  番組コンテンツ
２１１ｂ  録画済番組テーブル
２１２  ＲＡＭ部
２１３  ＲＯＭ部
２１４  ＣＰＵ部
２１５  リモコンＩ／Ｆ部
２１６  ネットワークＩ／Ｆ部
【図１】
2006246005.tif 000003
【図２】
2006246005.tif 000004
【図３】
2006246005.tif 000005
【図４】
2006246005.tif 000006
【図５】
2006246005.tif 000007
【図６】
2006246005.tif 000008
【図７】
2006246005.tif 000009
【図８】
2006246005.tif 000010